【手続補正書】
【提出日】平成18年2月23日(2006.2.23)
【手続補正１】
【補正対象書類名】明細書
【補正対象項目名】発明の名称
【補正方法】変更
【補正の内容】
【発明の名称】復号再生装置
【手続補正２】
【補正対象書類名】明細書
【補正対象項目名】特許請求の範囲
【補正方法】変更
【補正の内容】
【特許請求の範囲】
【請求項１】  フレーム単位で符号化された画像信号とフレーム単位で設定された時刻情報とからなるフレーム信号を少なくとも１フレーム信号と、画像信号を再生する際に利用する再生時刻情報とを含むパケットを受信し、前記再生時刻情報に基づいて画像信号の再生を行う復号再生装置において、
エラーがないと判定された過去のパケットに含まれる再生時刻情報と時刻情報を記憶する時刻情報記憶手段と、
再生時刻情報リセット信号を検出する検出手段と、
この検出手段が再生時刻情報リセット信号を検出しないときは、受信したパケットに含まれる再生時刻情報と前記時刻情報記憶手段に記憶されている再生時刻情報とを比較し、受信したパケットに含まれる再生時刻情報が時刻情報記憶手段に記憶されている再生時刻情報より前の時刻を示す場合は受信したパケットに含まれる再生時刻情報のエラーと判定するエラー判定手段と、
このエラー判定手段が再生時刻情報にエラーがあると判定すると、前記時刻情報記憶手段に記憶されている時刻情報と受信したパケットに含まれる時刻情報との差分値を求め、この差分値を前記時刻情報記憶手段に記憶されている再生時刻情報に加えて再生時刻を推定する再生時刻推定手段と、
前記検出手段が再生時刻情報リセット信号を検出したとき又は前記エラー判定手段が再生時刻情報のエラーを検出しないときは、受信したパケットに含まれる再生時刻情報に基づいて画像信号を再生し、前記エラー判定手段が再生時刻情報のエラーを検出したときは、前記再生時刻推定手段が推定した再生時刻情報に基づいて画像信号を再生する再生制御手段と
を具備することを特徴とする復号再生装置。
【請求項２】  フレーム単位で符号化された画像信号とフレーム単位で設定された時刻情報とからなるフレーム信号を少なくとも１フレーム信号と、画像信号を再生する際に利用する再生時刻情報とを含むパケットを受信し、前記再生時刻情報に基づいて画像信号の再生を行う復号再生装置において、
エラーがないと判定された過去のパケットに含まれる再生時刻情報と時刻情報を記憶する時刻情報記憶手段と、
再生時刻情報リセット信号を検出する検出手段と、
この検出手段が再生時刻情報リセット信号を検出しないときは、受信したパケットに含まれる再生時刻情報と前記時刻情報記憶手段に記憶されている再生時刻情報との第１の差分値と、受信したパケットに含まれる時刻情報と前記時刻情報記憶手段に記憶されている時刻情報との第２の差分値を求め、第１の差分値と第２の差分値との差が所定値を超えている場合は受信したパケットに含まれる再生時刻情報のエラーと判定する判定手段と、
このエラー判定手段が再生時刻情報にエラーがあると判定すると、前記第２の差分値を前記時刻情報記憶手段に記憶されている再生時刻情報に加えて再生時刻を推定する再生時刻推定手段と、
前記検出手段が再生時刻情報リセット信号を検出したとき又は前記エラー判定手段が再生時刻情報のエラーを検出しないときは、受信したパケットに含まれる再生時刻情報に基づいて画像信号を再生し、前記エラー判定手段が再生時刻情報のエラーを検出したときは、前記再生時刻推定手段が推定した再生時刻情報に基づいて画像信号を再生する再生制御手段と
を具備することを特徴とする復号再生装置。
【請求項３】  前記再生時刻情報リセット信号は番組の変更の有無を示す識別子であり、前記検出手段は、この識別子が番組の変更を示す場合に再生時刻情報リセット信号を検出したと判断することを特徴とする請求項１または２に記載の復号再生装置。
【手続補正３】
【補正対象書類名】明細書
【補正対象項目名】０００１
【補正方法】変更
【補正の内容】
【０００１】
【発明の属する技術分野】
本発明は、符号化された情報を入力し、再生する復号再生装置に係り、特に、再生時刻の誤りの補正処理に関する。
【手続補正４】
【補正対象書類名】明細書
【補正対象項目名】００１１
【補正方法】変更
【補正の内容】
【００１１】
本発明は、上記問題点を解決するためになされたもので、ＰＴＳに誤りが含まれていないことを少ない計算量で判断できる復号再生装置を提供することを目的とする。
【手続補正５】
【補正対象書類名】明細書
【補正対象項目名】００１２
【補正方法】変更
【補正の内容】
【００１２】
【課題を解決するための手段】
上記目的を達成するために、本発明の復号再生装置は、フレーム単位で符号化された画像信号とフレーム単位で設定された時刻情報とからなるフレーム信号を少なくとも１フレーム信号と、画像信号を再生する際に利用する再生時刻情報とを含むパケットを受信し、前記再生時刻情報に基づいて画像信号の再生を行う復号再生装置において、エラーがないと判定された過去のパケットに含まれる再生時刻情報と時刻情報を記憶する時刻情報記憶手段と、再生時刻情報リセット信号を検出する検出手段と、この検出手段が再生時刻情報リセット信号を検出しないときは、受信したパケットに含まれる再生時刻情報と前記時刻情報記憶手段に記憶されている再生時刻情報とを比較し、受信したパケットに含まれる再生時刻情報が時刻情報記憶手段に記憶されている再生時刻情報より前の時刻を示す場合は受信したパケットに含まれる再生時刻情報のエラーと判定するエラー判定手段と、このエラー判定手段が再生時刻情報にエラーがあると判定すると、前記時刻情報記憶手段に記憶されている時刻情報と受信したパケットに含まれる時刻情報との差分値を求め、この差分値を前記時刻情報記憶手段に記憶されている再生時刻情報に加えて再生時刻を推定する再生時刻推定手段と、前記検出手段が再生時刻情報リセット信号を検出したとき又は前記エラー判定手段が再生時刻情報のエラーを検出しないときは、受信したパケットに含まれる再生時刻情報に基づいて画像信号を再生し、前記エラー判定手段が再生時刻情報のエラーを検出したときは、前記再生時刻推定手段が推定した再生時刻情報に基づいて画像信号を再生する再生制御手段とを具備することを特徴とする。
【手続補正６】
【補正対象書類名】明細書
【補正対象項目名】００１３
【補正方法】変更
【補正の内容】
【００１３】
また、本発明の復号再生装置は、フレーム単位で符号化された画像信号とフレーム単位で設定された時刻情報とからなるフレーム信号を少なくとも１フレーム信号と、画像信号を再生する際に利用する再生時刻情報とを含むパケットを受信し、前記再生時刻情報に基づいて画像信号の再生を行う復号再生装置において、エラーがないと判定された過去のパケットに含まれる再生時刻情報と時刻情報を記憶する時刻情報記憶手段と、再生時刻情報リセット信号を検出する検出手段と、この検出手段が再生時刻情報リセット信号を検出しないときは、受信したパケットに含まれる再生時刻情報と前記時刻情報記憶手段に記憶されている再生時刻情報との第１の差分値と、受信したパケットに含まれる時刻情報と前記時刻情報記憶手段に記憶されている時刻情報との第２の差分値を求め、第１の差分値と第２の差分値との差が所定値を超えている場合は受信したパケットに含まれる再生時刻情報のエラーと判定する判定手段と、このエラー判定手段が再生時刻情報にエラーがあると判定すると、前記第２の差分値を前記時刻情報記憶手段に記憶されている再生時刻情報に加えて再生時刻を推定する再生時刻推定手段と、前記検出手段が再生時刻情報リセット信号を検出したとき又は前記エラー判定手段が再生時刻情報のエラーを検出しないときは、受信したパケットに含まれる再生時刻情報に基づいて画像信号を再生し、前記エラー判定手段が再生時刻情報のエラーを検出したときは、前記再生時刻推定手段が推定した再生時刻情報に基づいて画像信号を再生する再生制御手段とを具備することを特徴とする。
【手続補正７】
【補正対象書類名】明細書
【補正対象項目名】００１５
【補正方法】変更
【補正の内容】
【００１５】
【発明の実施の形態】
以下に、本発明による復号再生装置の実施の形態を、図面を参照して説明する。図１は、本発明の実施形態に係る復号再生装置が適用された移動通信端末装置の構成を示すブロック図である。